(57)【要約】【課題】ファンロータの外周側から吸込み側へ流れるもれ流れを十分に防ぐことが可能なシロッコファンを提供する。【解決手段】シロッコファン１は、ファンロータ３の外周に設けられ、当該ファンロータ３の半径方向に延びる第１突起２１、ファンロータ３の外周に設けられ、ファンロータ３の回転軸方向に延びる第２突起２２と、ハウジング２に設けられ、第１突起２１にファンロータ３の半径方向から対向する遮蔽板２６と、ハウジング２に設けられ、第２突起２２の先端を取り囲む取囲み部分２７とを備えている。第１突起２１と遮蔽板２６とによって、第１ラビリンス部分３１が形成され、さらに、第２突起２２と取囲み部分２７とによって、第２ラビリンス部分３２が形成されている．【選択図】図４
2014077381.tif 000002
【特許請求の範囲】
【請求項１】
回転軸回りに回転可能であり、当該回転軸の周囲の円周上に配列された複数の羽根(18)を有するファンロータ(3)と、
前記ファンロータ(3)を収容する収容部(6)、および外部から当該収容部(6)の内部へ空気を吸い込む吸込口(7)を有するハウジング(2)と、
前記ファンロータ(3)の外周に設けられ、当該ファンロータ(3)の半径方向に延びる第１突起(21)と、
前記ファンロータ(3)の外周に設けられ、前記ファンロータ(3)の回転軸方向に延びる第２突起(22)と、
前記ハウジング(2)に設けられ、前記第１突起(21)に前記ファンロータ(3)の半径方向から対向する遮蔽板(26)と、
前記ハウジング(2)に設けられ、前記第２突起(22)の先端を取り囲む取囲み部分(27)と
を備えており、
前記第１突起(21)と前記遮蔽板(26)とによって、第１ラビリンス部分(31)が形成され、
前記第２突起(22)と前記取囲み部分(27)とによって、第２ラビリンス部分(32)が形成されている、
ことを特徴とするシロッコファン。
【請求項２】
前記ハウジング(2)の吸込口(7)に設けられ、前記ハウジング(2)の内部に外部の空気を案内する空気案内部(25)をさらに備えており、
前記空気案内部(25)の出口側端部(25a)は、前記羽根(18)の内周端(18a)よりも外側に配置されている。
請求項１に記載のシロッコファン。
【請求項３】
前記第１突起(21)および前記第２突起(22)によって、Ｌ字型断面を有する環状のリング部(5)が構成され、
当該リング部(5)がファンロータ(3)の外周縁に設けられている、
請求項１または２に記載のシロッコファン。
【請求項４】
前記ファンロータ(3)は、樹脂成形されている。
請求項１から３のいずれかに記載のシロッコファン。
【発明の詳細な説明】
【技術分野】
【０００１】
本発明は、シロッコファンに関するものである。
【背景技術】
【０００２】
空気調和機などに用いられるシロッコファンにおいて、ファンロータの外周側から吸込み側へ流れるもれ流れを防ぐために従来より種々の構造のシロッコファンが提案されている。例えば特許文献１に記載されているシロッコファンのように、ファンロータの羽根の上面外周に円筒状の遮蔽板が設けられ、かつ、ハウジングに遮蔽板の上端部を取り囲む部分が形成されることにより、ラビリンス構造が形成されたシロッコファンが提案されている。
【先行技術文献】
【特許文献】
【０００３】
【特許文献１】特許第３６４９８１５号公報
【発明の概要】
【発明が解決しようとする課題】
【０００４】
従来のシロッコファンでは、円周状の遮蔽板の上端部の周囲に形成されたラビリンス構造のみでファンロータの外周側から吸込み側へ流れるもれ流れを防ぐようにしているが、もれ流れを防ぐ効果が十分ではない。
【０００５】
本発明は、上記のような事情に鑑みてなされたものであり、ファンロータの外周側から吸込み側へ流れるもれ流れを十分に防ぐことが可能なシロッコファンを提供することを目的とする。
【課題を解決するための手段】
【０００６】
本発明のシロッコファンは、回転軸回りに回転可能であり、当該回転軸の周囲の円周上に配列された複数の羽根(18)を有するファンロータ(3)と、前記ファンロータ(3)を収容する収容部(6)、および外部から当該収容部(6)の内部へ空気を吸い込む吸込口(7)を有するハウジング(2)と、前記ファンロータ(3)の外周に設けられ、当該ファンロータ(3)の半径方向に延びる第１突起(21)と、前記ファンロータ(3)の外周に設けられ、前記ファンロータ(3)の回転軸方向に延びる第２突起(22)と、前記ハウジング(2)に設けられ、前記第１突起(21)に前記ファンロータ(3)の半径方向から対向する遮蔽板(26)と、前記ハウジング(2)に設けられ、前記第２突起(22)の先端を取り囲む取囲み部分(27)とを備えており、前記第１突起(21)と前記遮蔽板(26)とによって、第１ラビリンス部分(31)が形成され、前記第２突起(22)と前記取囲み部分(27)とによって、第２ラビリンス部分(32)が形成されていることを特徴とする。
【０００７】
かかる構成では、ファンロータ(3)の外周側から吸込み側へ流れるもれ流れを防止するために、２つのラビリンス部分、すなわち、第１ラビリンス部分(31)および第２ラビリンス部分(32)が形成されている。すなわち、この第１ラビリンス部分(31)は、ファンロータ(3)の外周に設けられた当該ファンロータ(3)の半径方向に延びる第１突起(21)とハウジング(2)に設けられた上記の第１突起(21)に当該半径方向から対向する遮蔽板(26)とによって形成されている。そして、第２ラビリンス部分(32)は、ファンロータ(3)の外周に設けられた当該ファンロータ(3)の回転軸方向に延びる第２突起(22)と、ハウジング(2)に設けられた第２突起(22)の先端を取り囲む取囲み部分(27)とによって形成されている。このような構成により、ファンロータ(3)の外周側からハウジング(2)の内壁に沿ってファンロータ(3)の半径方向からファンロータ(3)の吸込み側へ向かう空気流れは、上記の第１ラビリンス部分(31)において、ハウジング(2)に設けられた遮蔽板(26)に当たって半径方向に向いていた流れの方向が変えられた後にさらに遮蔽板(26)とファンロータ(3)側の第１突起(21)との間を通ることによって、さらに流れの方向を変えられるとともに流路が狭められるので、空気流れを減衰させることが可能である。さらに、第２ラビリンス部分(32)においては、空気流れが第２突起(22)およびその先端を取り巻く取囲み部分(27)によって流れの方向がさらに変えられるとともに流路が狭められることによって、空気流れをさらに減衰させることが可能である。このように、第１ラビリンス部分(31)および第２ラビリンス部分(32)を組み合わせたラビリンス構造によって確実に防止することが可能である。
【０００８】
また、前記ハウジング(2)の吸込口(7)に設けられ、前記ハウジング(2)の内部に外部の空気を案内する空気案内部(25)をさらに備えており、前記空気案内部(25)の出口側端部(25a)は、前記羽根(18)の内周端(18a)よりも外側に配置されているのが好ましい。
【０００９】
かかる構成によれば、空気案内部(25)の出口側端部(25a)が羽根(18)の内周端(18a)よりも外側に配置されていることにより、ファンロータ(3)は円滑に吸気を行なうことが可能になり、ファン効率の性能を向上することが可能になる。また、空気案内部(25)が第１ラビリンス部分(31)および第２ラビリンス部分(32)とは別個に設けられているので、空気案内部(25)の配置が第１ラビリンス部分(31)および第２ラビリンス部分(32)のもれ流れ防止の効果に影響を与えることが回避される。
【００１０】
また、前記第１突起(21)および前記第２突起(22)によって、Ｌ字型断面を有する環状のリング部(5)が構成され、当該リング部(5)がファンロータ(3)の外周縁に設けられているのが好ましい。
【００１１】
かかる構成によれば、第１突起(21)および第２突起(22)によって構成されたＬ字型の断面を有するリング部(5)がファンロータ(3)の外周縁に設けられた構造なので、少ない部品点数によって第１および第２ラビリンス部分(32)を構成することが可能になり、簡単な構造で確実にファンロータ(3)の吸い込み側へのもれ流れを確実に防止することが可能である。また、ファンロータ(3)の外周縁にＬ字型断面を有するリング部(5)が設けられた構造は、樹脂成形時における成形型の離脱が可能な構造であるので、ファンロータ(3)およびＬ字型断面を有するリング部(5)を一体的に樹脂成形することが可能である。
【００１２】
また、前記ファンロータ(3)は、樹脂成形されているのが好ましい。
【００１３】
かかる構成によれば、前記ファンロータ(3)が樹脂成形されているので、容易かつ低コストで製造することが可能である。
【発明の効果】
【００１４】
以上のように、本発明によれば、ファンロータの外周側から吸込み側へ流れるもれ流れを十分に防ぐことができる。
【図面の簡単な説明】
【００１５】
【図１】本発明の実施形態にかかるプロペラファンを示す平面図である。
【図２】図１のＩＩ−ＩＩ線断面図である。
【図３】図２の第１ラビリンス部分および第２ラビリンス部分の拡大断面図である。
【図４】図３の第１ラビリンス部分および第２ラビリンス部分における空気の流れを示す説明図である。
【発明を実施するための形態】
【００１６】
以下、本発明の実施形態にかかるシロッコファンについて図面を参照しながら詳細に説明する。
【００１７】
図１〜２に示されるシロッコファン１は、ハウジング（具体的には、スクロールハウジング）２と、このハウジング２内に収容されたファンロータ３と、ファンロータ３の外周に設けられたリング部材５とを備えている。ハウジング２は、後述の吸込口７を形成するベルマウス４を有する。ファンロータ３は、モータＭの駆動軸Ｓに接続され、このモータＭの駆動によりハウジング２内において回転軸Ａを中心に回転方向Ｄに回転する。
【００１８】
ハウジング２は、ハウジング本体２ａと、ハウジング本体２ａの側面から突出した吐出管部２ｂとを備えており、ハウジング本体２ａおよび吐出管部２ｂが一体に形成されている。
【００１９】
すなわち、ハウジング本体２ａおよび吐出管部２ｂは、ファンロータ３の回転軸Ａの軸方向の正面側Ｆに配設された正面板１１と、背面側Ｒに配設された背面板１２と、正面板１１と背面板１２の間に配設された側面板（胴板）１３とが結合されることによって一体に形成されている。ハウジング２は、これらの板１１、１２，１３によって、中空のケースを構成している。
【００２０】
ハウジング本体２ａは、その内部に、ファンロータ３が収容される収容空間６を有しており、本発明の収容部の概念に含まれる。さらに、正面板１１のうちハウジング本体２ａを構成する部分には、収容空間６に連通する開口１５が形成されている。開口１５には、ベルマウス４が取り付けられている。ベルマウス４は、収容空間６内に空気を流入させるための吸込口７を形成する。ベルマウス４の具体的な構成については、後段において、リング部材５と関連させながら詳細に説明する。
【００２１】
吐出管部２ｂは、略四角形の筒状に形成され、ハウジング本体２ａの側面からハウジング本体２ａの外周面の接線方向に突出する部分である。
【００２２】
吐出管部２ｂとハウジング本体２ａとの境界部分には、ハウジング２の内側に突出する舌部１４が形成されている。図１に示すように、舌部１４は、吐出管部２ｂの側面とハウジング本体２ａの側面とが平面視で鋭角をなすようにつながることによって形成されている。ハウジング２における側面板１３の内面とファンロータ３における半径方向の外側の端部との間隔は、舌部１４から回転方向Ｄに沿って次第に大きくなる。
【００２３】
吐出管部２ｂの先端側には、ハウジング本体２ａの収容空間６内の空気を外部に吹き出させるための吹出口８が形成されている。吹出口８は、吐出管部２ｂの内部空間を通して収容空間６に連通している。
【００２４】
上記のハウジング２では、吸込口７及び吹出口８以外の部位は、正面板１１、背面板１２、側面板１３および当該背面板１２に嵌合するモータＭにより塞がれている。
【００２５】
ファンロータ３は、ハウジング２の背面板１２に対向して配置された円盤状の主板１７と、回転軸Ａの周囲の円周上回転方向Ｄに沿って配列された複数の前向き羽根（以下、羽根という）１８とを有している。
【００２６】
主板１７は、モータＭの駆動軸Ｓに対して連結部材１９を介して接続され、駆動軸Ｓとともに回転軸Ａ回りに回転することが可能である。各羽根１８の背面側Ｒの端部は主板１７につながっている。各羽根１８における前縁から後縁までの長さ（翼弦長）は、回転軸Ａの軸方向においてほぼ一定である。なお、前記翼弦長は、正面側Ｆから背面側Ｒにかけて次第に大きくなる形状であってもよい。
【００２７】
リング部材５は、図２〜３に示されるように、第１突起２１と、第２突起２２とを備えている。これら第１突起２１および第２突起２２が一体に形成されることにより、Ｌ字型断面を有する環状のリング部としてのリング部材５が構成される。リング部材５は、ファンロータ３の外周縁に配置されている。すなわち、リング部材５は、ファンロータ３の各羽根１８の正面Ｆ側の端部であってファンロータ３の外周側に位置する部分においてファンロータ３に連結されている。各羽根１８の正面側Ｆの端部同士がリング部材５を介して連結されることにより、各羽根１８は補強されている。本実施形態では、ファンロータ３とリング部材５とが樹脂成形により一体成形されている。
【００２８】
第１突起２１は、ファンロータ３の外周に配置され、当該ファンロータ３の半径方向Ｃに延びる環状の部分である。第１突起２１は、ファンロータ３の羽根１８の外周端１８ｂから外方へ突出している。
【００２９】
第２突起２２は、ファンロータ３の外周に配置され、第１突起２１の内側端部２１ｂからファンロータ３の回転軸Ａに延びる円筒状の部分である。第２突起２２の先端２２ａは、ファンロータ３の羽根１８の上端１８ｃよりも上に突出している。
【００３０】
図３に示されるように、ベルマウス４は、ハウジング２の内部に外部の空気を案内する空気案内部２５と、当該空気案内部２５の外側に配置された遮蔽板２６と、当該空気案内部２５と遮蔽板２６との間に配置された取囲み部分２７とを備えている。これらが一体に形成されている。
【００３１】
空気案内部２５は、ハウジング本体２ａの開口１５の内側に配置され、ハウジング２の正面側Ｆから背面側Ｒへ向かうにつれて内径が狭くなる筒状の部分である。具体的には、空気案内部２５の内周面２５ｂは、その内径が正面側Ｆから背面側Ｒに向かうにつれて小さくなる湾曲形状を有している。このような空気案内部２５によって、ハウジング２の吸込口７が形成されている。吸込口７は、ファンロータ３の羽根１８の吸込み側（図２の正面側Ｆ）の端部に対向して開口している。
【００３２】
空気案内部２５の出口側端部２５ａは、羽根１８の内周端１８ａよりも半径方向Ｃにおいて外側に配置されている。
【００３３】
遮蔽板２６は、円筒状の部分であり、ハウジング本体２ａの開口１５の縁部から収容空間６の内部に延びるようにハウジング２の正面板１１に取り付けられている。遮蔽板２６は、第１突起２１にファンロータ３の半径方向Ｃから対向する位置に配置されている。すなわち、遮蔽板２６は、第１突起２１の延長線上に沿って当該第１突起２１の外側端部２１ａから半径方向外側に配置されている。遮蔽板２６の上端２６ａは、ハウジング本体２ａの開口１５付近で取囲み部分２７（具体的には、後述する第１軸方向壁２７ａの下端２７ａ）に連結している。また、遮蔽板２６の下端２６ｂは、第１突起２１と同じ高さまたはそれよりも下方の（すなわち、回転軸Ａの延びる方向において吸込口７から遠い）位置に配置されている。遮蔽板２６は、このような配置によって、半径方向Ｃの外側から第１突起２１へ向かう空気流れＡＦ（図４参照）を遮ることが可能である。
【００３４】
取囲み部分２７は、ハウジング２に設けられ、第２突起２２の先端２２ａを取り囲む部分である。取囲み部分２７は、回転軸Ａ（図２参照）の方向に延びる第１軸方向壁２７ａと、半径方向Ｃに延びる半径方向壁２７ｂと、上記の第１軸方向壁２７ａと離れた位置で回転軸Ａの方向に延びる第２軸方向壁２７ｃとを有する。空間部２７ｄは、これらの壁２７ａ〜２７ｃによって囲まれた空間である。空間部２７ｄには、第２突起２２の先端２２ａが収容される。
【００３５】
図１に示されるように、第１突起２１と遮蔽板２６とによって、第１ラビリンス部分３１が形成されている。さらに、当該第１ラビリンス部分３１と連続するように、第２突起２２と取囲み部分２７とによって、第２ラビリンス部分３２が形成されている。
【００３６】
なお、ここでいうラビリンス部分とは、回転体であるファンロータ３と静止部分であるハウジング２との隙間を絞るとともにその隙間を流れようとする空気流れの方向を変えることにより、当該隙間におけるもれ流れを抑制するラビリンスシール構造を構成する部分である。具体的には、第１ラビリンス部分３１および第２ラビリンス部分３２は、以下のように構成されている。
【００３７】
第１ラビリンス部分３１は、ファンロータ３の外周に設けられて当該ファンロータ３の半径方向Ｃに延びる環状の第１突起２１と、ハウジング２に取り付けられたベルマウス４において上記の第１突起２１に当該半径方向Ｃから対向する位置に配置された円筒状の遮蔽板２６とによって形成されている。遮蔽板２６は、第１突起２１に半径方向Ｃから対向する位置として、上記のように、第１突起２１の延長線上に沿って当該第１突起２１の外側端部２１ａから半径方向外側の位置に配置されているので、半径方向Ｃの外側から第１突起２１へ向かう空気流れＡＦ（図４参照）を遮ることが可能である。
【００３８】
第２ラビリンス部分３２は、ファンロータ３の外周に設けられた当該ファンロータ３の回転軸方向に延びる円筒状の第２突起２２と、ハウジング２に取り付けられたベルマウス４において第２突起２２の先端２２ａを取り囲む位置に配置された取囲み部分２７とによって形成されている。第２突起２２の先端２２ａは、取囲み部分２７を構成する第１軸方向壁２７ａ、半径方向壁２７ｂおよび第２軸方向壁２７ｃによって、３方向（すなわち、当該半径方向Ｃの内方ならびに外方および上方）から取り囲まれる。具体的には、第１軸方向壁２７ａの下端２７ａ１は、第２突起２２ａの先端２２ａよりも下方の（すなわち、回転軸Ａの延びる方向において羽根１８に近い）位置に配置されている。また、第１軸方向壁２７ａの上端２７ａ２は、第２突起２２ａの先端２２ａよりも上方の（すなわち、回転軸Ａの延びる方向において羽根１８から遠い）位置に配置され、半径方向壁２７ｂの端部に連結している。さらに、第２軸方向壁２７ｃの上端２７ｃ１は、第２突起２２ａの先端２２ａよりも上方の位置に配置され、半径方向壁２７ｂに連結している。第２軸方向壁２７ｃの下端２７ｃ２は、第２突起２２ａの先端２２ａよりも下方の位置に配置されている。これにより、狭い流路で空気流れを制限することが可能な第２ラビリンス部分３２が構成されている。
【００３９】
上記のように構成されたシロッコファン１では、モータＭの駆動力によってファンロータ３が回転すると、図２の空気流れＳＦに示されるように、外部の空気がベルマウス４を通してハウジング２内に吸い込まれる。ハウジング２内に吸い込まれた空気は、回転軸Ａの軸方向の正面側Ｆから回転軸Ａの延びる方向に沿って背面側Ｒに向かってファンロータ３内に流入し、羽根１８同士の隙間を通過して半径方向外側にファンロータ３から流出する。この流出した空気は、ハウジング２のハウジング本体２ａの内部を回転方向Ｄに沿って移動し、吐出管部２ｂの吹出口８から吐出される。
【００４０】
このようにシロッコファン１が動作している状態では、図４に示されるように、ハウジング２内部においてファンロータ３の半径方向外側に流出した空気のうちの一部が、空気流れＡＦのように、ファンロータ３の外周側からハウジング２の正面板１１の内壁１１ａに沿ってファンロータ３の半径方向Ｃからファンロータ３の吸込み側（図２の正面側Ｆ）へ向かう。
【００４１】
この空気流れＡＦは、上記の第１ラビリンス部分３１よび第２ラビリンス部分３２によって減衰される。具体的には、空気流れＡＦは、まず、上記の第１ラビリンス部分３１において、ハウジング２に設けられた遮蔽板２６に当たることにより、半径方向Ｃから背面側Ｒ（図４の下方向）へ変えられる。その後、さらに、空気流れＡＦは、遮蔽板２６を下方から回り込むようにして遮蔽板２６とファンロータ３側の第１突起２１との隙間３３を通って正面側Ｆ（図４の上方向）へ流れることによって、さらに流れの方向を変えられるとともに流路が狭められるので、空気流れＡＦを減衰させることが可能である。
【００４２】
さらに、第２ラビリンス部分３２においては、空気流れＡＦが第２突起２２およびその先端２２ａを取り巻く取囲み部分２７によって流れの方向がさらに変えられるとともに流路が狭められる。具体的には、第２突起２２の先端２２ａと取囲み部分２７の第１軸方向壁２７ａによって空気流れＡＦは正面側Ｆ（図４の上方向）へ案内されるとともに流路が制限される。さらに、第２突起２２の先端２２ａと取囲み部分２７の半径方向壁２７ｂによって空気流れＡＦは半径方向Ｃへ流れの方向が変えられるとともに流路が制限される。さらに、第２突起２２の先端２２ａと取囲み部分２７の第２軸方向壁２７ｃによって空気流れＡＦは背面側Ｒ（図４の下方向）へ流れの方向が変えられるとともに流路が制限される。このような第２ラビリンス部分３２によって、空気流れＡＦをさらに減衰させることが可能である。その結果、第１ラビリンス部分３１および第２ラビリンス部分３２を組み合わせた複雑かつシール効果の高いラビリンス構造によって確実に防止することが可能になる。
【００４３】
（特徴）
（１）
本実施形態のシロッコファン１では、ファンロータ３の外周側から吸込み側へ流れるもれ流れを防止するために、２つのラビリンス部分、すなわち、第１ラビリンス部分３１および第２ラビリンス部分３２が形成されている。すなわち、この第１ラビリンス部分３１は、ファンロータ３の外周に設けられた当該ファンロータ３の半径方向Ｃに延びる第１突起２１とハウジング２に設けられた上記の第１突起２１に当該半径方向Ｃから対向する遮蔽板２６とによって形成されている。そして、第２ラビリンス部分３２は、ファンロータ３の外周に設けられた当該ファンロータ３の回転軸方向に延びる第２突起２２と、ハウジング２に設けられた第２突起２２の先端を取り囲む取囲み部分２７とによって形成されている。このような構成により、ファンロータ３の外周側からハウジング２の内壁１１ａに沿ってファンロータ３の半径方向Ｃからファンロータ３の吸込み側へ向かう空気流れＡＦは、上記の第１ラビリンス部分３１において、ハウジング２に設けられた遮蔽板２６に当たって半径方向Ｃに向いていた流れの方向が変えられた後にさらに遮蔽板２６とファンロータ３側の第１突起２１との隙間３３を通ることによって、さらに流れの方向を変えられるとともに流路が狭められるので、空気流れＡＦを減衰させることが可能である。さらに、第２ラビリンス部分３２においては、空気流れが第２突起２２およびその先端２２ａを取り巻く取囲み部分２７によって流れの方向がさらに変えられるとともに流路が狭められることによって、空気流れＡＦをさらに減衰させることが可能である。このように、第１ラビリンス部分３１および第２ラビリンス部分３２を組み合わせたラビリンス構造によって確実に防止することが可能である。
【００４４】
（２）
本実施形態のシロッコファン１では、空気案内部２５の出口側端部２５ａが羽根１８の内周端１８ａよりも外側に配置されていることにより、ファンロータ３は円滑に吸気を行なうことが可能になり、ファン効率の性能を向上することが可能になる。また、空気案内部２５が第１ラビリンス部分３１および第２ラビリンス部分３２とは別個に設けられているので、空気案内部２５の配置が第１ラビリンス部分３１および第２ラビリンス部分３２のもれ流れ防止の効果に影響を与えることが回避される。
【００４５】
（３）
本実施形態のシロッコファン１では、第１突起２１および第２突起２２によって構成されたＬ字型の断面を有するリング部材５がファンロータ３の外周縁に設けられた構造なので、少ない部品点数によって第１および第２ラビリンス部分３２を構成することが可能になり、簡単な構造で確実にファンロータ３の吸い込み側へのもれ流れを確実に防止することが可能である。また、ファンロータ３の外周縁にＬ字型断面を有するリング部材５が設けられた構造は、樹脂成形時において成形型が図２の正面側Ｆおよび背面側Ｒの２方向から容易に離脱することが可能な構造である。そのため、ファンロータ３およびＬ字型断面を有するリング部材５を一体的に樹脂成形することが可能である。
【００４６】
（４）
本実施形態のシロッコファン１では、ファンロータ３が樹脂により成形されているので、容易かつ低コストで製造することが可能である。とくに本実施形態では、ファンロータ３およびリング部材５が樹脂により一体成形されているので、より容易で、しかもさらに低コストで製造することが可能である。
【００４７】
（変形例）
（Ａ）
上記実施形態では、ベルマウス４がハウジング本体２ａの開口１５に取り付けられているが、本発明はこれに限定されるものではなく、ベルマウス４とハウジング２とが一体に形成された構成を採用してもよい。
【００４８】
（Ｂ）
また、上記実施形態では、ファンロータ３およびリング部材５が樹脂により一体成形されているが、本発明はこれに限定されるものではなく、リング部材５をファンロータ３とは別個に製造し、その後、ファンロータ３の外周に固定するようにしてもよい。
【符号の説明】
【００４９】
1  シロッコファン
２  ハウジング
２ａ  ハウジング本体（収容部）
３  ファンロータ
４  ベルマウス
５  リング部材（リング部）
６  収容空間
７  吸込口
８  吹出口
１８  羽根
２１  第１突起
２２  第２突起
２５  空気案内部
２６  遮蔽板
２７  取囲み部分
３１  第１ラビリンス部分
３２  第２ラビリンス部分
【図１】
2014077381.tif 000003
【図２】
2014077381.tif 000004
【図３】
2014077381.tif 000005
【図４】
2014077381.tif 000006